(57)【要約】【課題】本発明は、防水機能の向上を行うことである。【解決手段】本発明による防水機能を有するカシメ構造は、前蓋(62)とモータケース(5)の間にコネクタ板(61)を設け、前記前蓋(62)に設けられたカシメツメ(70)を、前記コネクタ板(61)の係合突起(81)に係合させた後、前記カシメツメ(70)の端部を前記モータケース(5)の下面に沿ってカシメ処理するようにした防水機能を有するカシメ構造において、前記前蓋(62)と前記コネクタ板(61)間には第１シール材(101)が設けられ、前記コネクタ板(61)と前記モータケース(5)間には第２シール材(１０２)が設けられている構成である。【選択図】図６
2019110657.tif 000002
【特許請求の範囲】
【請求項１】
前蓋(62)とモータケース(5)の間にコネクタ板(61)を設け、前記前蓋(62)に設けられたカシメツメ(70)を、前記コネクタ板(61)の係合突起(81)に係合させた後、前記カシメツメ(70)の端部を前記モータケース(5)の下面に沿ってカシメ処理するようにした防水機能を有するカシメ構造において、
前記前蓋(62)と前記コネクタ板(61)間には第１シール材(101)が設けられ、前記コネクタ板(61)と前記モータケース(5)間には第２シール材(102)が設けられている構成としたことを特徴とする防水機能を有するカシメ構造。
【発明の詳細な説明】
【技術分野】
【０００１】
本発明は、防水機能を有するカシメ構造に関し、特に、前蓋とモータケースとの間にコネクタ板を介して、少なくとも一対のシール材を設けることにより、前蓋とモータケース間の防水を冗長系として完全に行うことである。
【背景技術】
【０００２】
従来、用いられていたこの種の防水機能を有するカシメ構造としては、例えば、特許文献１のモータの構造を挙げることができる。
すなわち、図７において符号１で示されるものはモータであり、このモータ１のモータケース５は、ハウジング３のモータ取付面３ａにボルト６を介して取付けられている。
【０００３】
前記モータケース５の第１軸受１０と前記ハウジング３内の第２軸受１２,１３間にはコイル巻線１５及びアーマチュア１６を有するロータ8と一体の回転軸１４が回転自在に設けられている。
前記モータケース５の内面には、マグネット９が配設され、図８で示されるように、前記モータケース５に当接されたホルダ４は、カシメ部４５により強固に接続されている。
【０００４】
また、文献名等は開示していないが、従来、用いられていたモータの他の構成の概略図を図９〜図１１に開示することができる。
図９において、符号１で示されるものはモータであり、このモータ１のモータケース５のケースフランジ５ａ上には、コネクタ６０を有するコネクタ板６１が積層され、このコネクタ板６１上には、前蓋６２が積層されている。
【０００５】
また、図１１で示される前記前蓋６２には、全周のうち四ヶ所に二又状のカシメツメ７０が一体に下方に向けて突出形成されている。
【０００６】
次に、図１１のように、前蓋６２とコネクタ板６１とモータケース５のケースフランジ５ａが積層され、図９のようにモータ１が組立てられた状態で、前記前蓋６２の各カシメツメ７０が前記コネクタ板６１から水平方向に突出している係合突起８１を跨いだ状態となる。
【０００７】
前述の状態下で、図示しない治具を用いてカシメツメ７０をＬ字型に曲折させてカシメ処理を行うと、カシメツメ７０は図１１の（Ａ）の状態から（Ｂ）の状態となり、カシメツメ７０の外面７０ａがモータケース５の下面５ｂに係合することによって、前述の前蓋６２とコネクタ板６１とモータケース５が一体状に積層されて、図９のように、モータ１が構成されている。
【先行技術文献】
【特許文献】
【０００８】
【特許文献１】特開平１１−１３６８９８号公報
【発明の概要】
【発明が解決しようとする課題】
【０００９】
従来のカシメ構造は、以上のように構成されていたため、次のような課題が存在していた。
すなわち、前述の図７及び図８に示されている従来構成においては、モータケース５とホルダ４をカシメ部４５によってカシメ処理し、ハウジング３とモータケース５とがボルト６によってシール材５０を介して結合されていたため、ボルト止の部分に外部から液体等が入りやすく、モータとしての機能を維持することが極めて困難であった。
【００１０】
また、図９から図１１で示される従来構成においては、前蓋６２とコネクタ板６１とモータケース５を、前蓋６２に設けたカシメツメを用いて、積層させているが、シール材が設けられていないため、金属部材間に０．１〜０．５ｍｍの隙間が形成され、カシメツメを強力にカシメたとしても限界があった。
【００１１】
本発明は、以上のような課題を解決するためになされたもので、特に、前蓋とモータケースとの間に、コネクタ板を介して、少なくとも一対のシール材を設けることにより、前蓋とモータケース間の防水を完全にするようにした防水機能を有するカシメ構造を提供することである。
【課題を解決するための手段】
【００１２】
本発明による防水機能を有するカシメ構造は、前蓋とモータケースの間にコネクタ板を設け、前記前蓋に設けられたカシメツメを、前記コネクタ板の係合突起に係合させた後、前記カシメツメの端部を前記モータケースの下面に沿ってカシメ処理するようにした防水機能を有するカシメ構造において、前記前蓋と前記コネクタ板間には第１シール材が設けられ、前記コネクタ板と前記モータケース間には第２シール材が設けられているようにした構成である。
【発明の効果】
【００１３】
本発明による防水機能を有するカシメ構造は、以上のように構成されているため、次のような効果を得ることができる。
すなわち、前蓋とモータケースの間にコネクタ板を設け、前記前蓋に設けられたカシメツメを、前記コネクタ板の係合突起に係合させた後、前記カシメツメの端部を前記モータケースの下面に沿ってカシメ処理するようにした防水機能を有するカシメ構造において、前記前蓋と前記コネクタ板間には第１シール材が設けられ、前記コネクタ板と前記モータケース間には第２シール材が設けられているように構成されているため、次のような効果を得ることができる。
すなわち、前蓋とコネクタ板間に第１シール材が設けられ、コネクタ板とモータケース間に第２シール材が設けられているため、カシメツメによるカシメ構造のみによる防水機能だけではなく、一対のシール材によるさらなる防水機能が追加されているため、防水機能の冗長系を構成することができ、モータ等の防水機能を大幅に向上させることができる。
また、従来と同一のカシメ構造の中に、一対のシール材を設けるだけで、防水機能が向上できるため、ライン装着だけではなく、現在、使用中のモータ等に対する後付けも可能である。
【図面の簡単な説明】
【００１４】
【図１】本発明による防水機能を有するカシメ構造を説明するためのモータの要部の分解斜視図である。
【図２】図１のモータの前蓋とロータを示す分解斜視図である。
【図３】図１のモータ全体の分解斜視図である。
【図４】図２の前蓋の断面図である。
【図５】図１のコネクタ板を示す平面図である。
【図６】本発明におけるカシメ構造を示すカシメの説明図である。
【図７】従来のカシメ構造を示す断面図である。
【図８】図７の要部の拡大断面図である。
【図９】従来のモータを示す正面図である。
【図１０】図９のＡ部の拡大図である。
【図１１】図１０の概略説明図である。
【発明を実施するための形態】
【００１５】
本発明による防水機能を有するカシメ構造は、特に、前蓋とモータケースとの間にコネクタ板を介して、少なくとも一対のシール材を設けることにより、前蓋とモータケース間の防水を冗長系として完全とすることである。
【実施例】
【００１６】
以下、図面と共に本発明による防水機能を有するカシメ構造の好適な実施の形態について説明する。
尚、従来例と同一又は同等部分については、同一符号を用いて説明する。
図１及び図２において、符号５で示されるものはモータケースであり、このモータケース５には、コネクタ６０を有するコネクタ板６１が設けられている。
前記モータケース５の内面には、ステータ巻線５Ａを有するステータ５Ｂが内設されている。
【００１７】
前記モータケース５の前記コネクタ板６１の上部には、カシメツメ７０を有する前蓋６２が設けられ、この前蓋６２の軸孔６２Ａを回転可能に貫通する回転軸６２Ｃには、ロータ６２Ｄが設けられている。
前記ロータ６２Ｄは、前記ステータ５Ｂのステータ巻線５Ａの内側に回転自在に挿入されている。
【００１８】
図３の構成は、前述の図１及び図２で示したモータケース５に対して、前記コネクタ板６１を介して前記前蓋６２を装着させ、前記ロータ６２Ｄが前記モータケース５内に挿入され、前記回転軸６２Ｃが前記前蓋６２から回転可能に突出している。
【００１９】
図４に示されるように、前記前蓋６２の四個の前記カシメツメ７０は、図５のコネクタ板６１の四個の係合突起と各々対応して係合できるように構成されている。
前記コネクタ板６１には、前記係合突起８１が形成されていない外周部１００において、合計四個の舌片８０ｅが突出形成され、各舌片８０ｅには各貫通孔８０ａ〜８０ｄが形成されている。
尚、前述の各貫通孔８０ａ〜８０ｄは、前述の図９に示されるモータ１の完成品を装着等に取り付ける際に用いられる。
【００２０】
図６の（Ａ），（Ｂ）は、まず、（Ａ）において、前述の図１から図３で示した前蓋６２とコネクタ板６１とモータケース５とを、第１シール材１０１及び第２シール材１０２を介して積層させ、各カシメツメ７０が係合突起８１を跨いだ状態となる。
前記第１シール材１０１は前蓋６２とコネクタ板６１の間に位置し、前記第２シール材１０２はコネクタ板６１とモータケース５との間に位置している。
【００２１】
前述の（Ａ）の状態で、前記カシメツメ７０を、図１１の（Ａ）及び（Ｂ）と同様に、カシメ治具（図示せず）によってカシメ処理を行うと、カシメツメ７０がＬ字型に曲折され、各シール材１０１，１０２が圧縮された状態で、前蓋６２とコネクタ板６１とモータケース５が一体状となるように結合される。
尚、前述の前蓋６２とコネクタ板６１とモータケース５とは、従来の図１１（Ａ）と（Ｂ）の状態のようにシール材を用いない場合でもある程度の第１防水性を保つことができるが、本発明による各シール材１０１，１０２を用いた図６の構成により、防水性がより一層向上して完璧な第２防水性を得ることとなり、冗長系として考えると、二重冗長系の防水構造を有していると云うことができる。
【産業上の利用可能性】
【００２２】
本発明による防水機能を有するカシメ構造は、前蓋とコネクタ板とモータケースを一対のシール材を介して一体にカシメをするため、防水性が従来よりも大幅に向上し、モータを用いた装置の信頼性を大幅に向上させることができる。
【符号の説明】
【００２３】
５    モータケース
５Ａ    ステータ巻線
５Ｂ    ステータ
６０    コネクタ
６１    コネクタ板
６２    前蓋
６２ａ    前蓋フランジ
６２Ａ    軸孔
６２Ｃ    回転軸
６２Ｄ    ロータ
７０    カシメツメ
８０ａ〜８０ｄ    貫通孔
８０ｅ    舌片
８１    係合突起
１００    外周部
１０１    第１シール材
１０２    第２シール材
【図１】
2019110657.tif 000003
【図２】
2019110657.tif 000004
【図３】
2019110657.tif 000005
【図４】
2019110657.tif 000006
【図５】
2019110657.tif 000007
【図６】
2019110657.tif 000008
【図７】
2019110657.tif 000009
【図８】
2019110657.tif 000010
【図９】
2019110657.tif 000011
【図１０】
2019110657.tif 000012
【図１１】
2019110657.tif 000013